(57)【要約】【課題】容易に更新することが可能な受信装置及び受信システムを提供する。【解決手段】受信装置１０２において、チューナ回路部１１１、デジタル復調部１１２、デジタル回路部１１３及び映像音声出力回路１１４が、基板１１０上に配置され、アンテナで受信された高周波信号がチューナ回路部１１１に入力されるチューナ入力端子１１１Ａ、及び、映像音声出力回路１１４からアナログ映像・音声信号が出力されるインターフェイス端子１１４Ａが、基板１１０上の予め設定された位置に配置される。【選択図】図２
2009152814.tif 000002
【特許請求の範囲】
【請求項１】
アンテナで受信した高周波信号を受信して映像、音声信号に変換する受信装置であって、
アンテナから受信された高周波信号を中間周波数信号に変換するチューナ回路部と、
前記チューナ回路部から出力される中間周波数信号を圧縮されたデジタル信号に変換するデジタル復調部と、
前記デジタル復調部から出力される圧縮されたデジタル信号からデジタル映像・音声信号に変換するデジタル回路部と、
前記デジタル回路部から出力されるデジタル映像・音声信号をアナログ映像・音声信号に変換する映像音声出力回路と、
を備え、
前記チューナ回路部、デジタル復調部、デジタル回路部及び映像音声出力回路は、１の基板上に配置され、
アンテナで受信された高周波信号が前記チューナ回路部に入力される入力端子、及び、前記映像音声出力回路からアナログ映像・音声信号が出力される出力端子は、前記１の基板上の予め設定された位置に配置されることを特徴とする受信装置。
【請求項２】
アンテナから前記チューナ回路部に入力され、前記デジタル復調部及びデジタル回路部を介して、前記映像音声出力回路から出力されるまでの信号の流れを、前記１の基板上において略コの字形状又は逆コの字形状とするべく、前記チューナ回路部、デジタル復調部、デジタル回路部及び映像音声出力回路を前記１の基板上に配置することを特徴とする請求項１に記載の受信装置。
【請求項３】
前記１の基板は、略矩形の基板であって、
前記チューナ回路部は、前記１の基板に含まれる１の辺に沿って配置され、
前記チューナ回路部及びデジタル復調部は、前記１の辺に隣接する他の１の辺に沿って配置され、
前記映像音声出力回路は、前記他の１の辺に隣接すると共に、前記１の辺と対向する辺に沿って配置されることを特徴とする請求項２に記載の受信装置。
【請求項４】
アンテナから前記チューナ回路部に入力され、前記デジタル復調部及びデジタル回路部を介して、前記映像音声出力回路から出力されるまでの信号の流れを、前記１の基板上において略Ｌの字又は逆Ｌの字形状とするべく、前記チューナ回路部、デジタル復調部、デジタル回路部及び映像音声出力回路を前記１の基板上に配置することを特徴とする請求項１に記載の受信装置。
【請求項５】
前記１の基板は、略矩形の基板であって、
前記チューナ回路部は、前記１の基板に含まれる１の辺に沿って配置され、
前記デジタル復調部、デジタル回路部及び映像音声出力回路は、前記１の辺に隣接する他の１の辺に沿って配置されることを特徴とする請求項４に記載の受信装置。
【請求項６】
前記チューナ回路部、デジタル復調部、デジタル回路部及び映像音声出力回路に電圧を印加する電源回路部を備え、
前記電源回路部は、前記１の辺と対向する辺に沿って前記１の基板上に配置されることを特徴とする請求項５に記載の受信装置。
【請求項７】
著作権保護のための受信制限を解除するカードが着脱自在に構成されたカード装着部を備え、
前記カード装着部は、前記チューナ回路部と前記電源回路部との間に配置されることを特徴とする請求項６に記載の受信装置。
【請求項８】
前記映像音声出力回路は、前記１の基板において、前記デジタル回路部が配置された面に対して裏面側に配置されることを特徴とする請求項１〜請求項７のいずれかに記載の受信装置。
【請求項９】
前記チューナ回路部及びデジタル復調部は、それぞれ、前記１の基板において、前記デジタル回路部が配置された面と同一の面側に配置されることを特徴とする請求項８に記載の受信装置。
【請求項１０】
デジタル放送波を受信して、映像信号及び音声信号に変換し、表示及び出力する受信システムであって、
請求項１〜請求項９のいずれかに記載の受信装置と、
前記受信装置から出力される映像信号に基づいて映像を表示すると共に、音声信号に基づいて音声を出力する処理を行う映像表示装置と、
を備えることを特徴とする受信システム。
【発明の詳細な説明】
【技術分野】
【０００１】
本発明は、デジタルテレビジョン放送等の高周波信号を受信する受信装置及び受信システムに関するものである。
【０００２】
図５は、従来の受信システム（特許文献１参照）の概略的構成の一例を示すブロック図である。図５に示される受信システム９００は、高周波信号を受信するアンテナ９０１と、アンテナ９０１で受信された信号に所定の処理を施して所望の信号を取得するための受信装置９０２と、受信装置９０２で取得された信号に所定の処理を施して映像信号ならびに音声信号を取り出す映像表示装置９０３とで構成される。
【０００３】
受信装置９０２は、アンテナ９０１で受信された高周波信号を中間周波数信号に変換するチューナ回路部９１１と、チューナ回路部９１１から出力される中間周波数信号を圧縮されたデジタル信号に変換するデジタル復調部９１２と、チューナ回路部９１１及びデジタル復調部９１２に動作用電源を与える電源回路部９１３と、を備える。また、デジタル復調部９１２は、中間周波数信号をデジタル変換するための処理ＩＣであるデジタル復調ＩＣ９１４を備える。
【０００４】
映像表示装置９０３は、受信装置９０２から与えられる圧縮されたデジタル信号からデジタル映像・音声信号に変換するデジタル回路部９２１と、デジタル回路部９２１から出力されるデジタル映像・音声信号をアナログの映像・音声信号に変換する映像音声出力回路９２２と、映像音声出力回路９２２から出力されるアナログの映像信号に基づいて映像を表示する処理を行う表示処理部９２３と、映像音声出力回路９２２から出力されるアナログの音声信号に基づいて音声を出力する処理を行う音声処理部９２４と、デジタル回路部９２１、映像音声出力回路９２２、表示処理部９２３及び音声処理部９２４に動作用電源を与える電源回路部９２５と、を備える。また、デジタル回路部９２１は、圧縮されたデジタル信号から映像信号及び音声信号を抽出するための映像音声処理ＩＣ９２８と、映像音声処理を行う際に一時的に処理データを格納する映像音声処理メモリ９２６と、受信装置の制御コードを格納するプログラム用メモリ９２７と、を備える。
【特許文献１】特開２０００−６８６７３号公報
【発明の開示】
【発明が解決しようとする課題】
【０００５】
しかしながら、上記受信システム９００等の従来の受信システムでは、チューナ回路部等が組み込まれたシステムとなっているため、受信システムを更新する際に、例えば、既に使用しているチューナ回路部が所望の特性を有する場合であっても、該チューナ回路部を選択することが困難であることがある。
【０００６】
すなわち、例えば、上記受信システム９００において、映像表示装置９０３の少なくとも一部（例えば、映像音声処理ＩＣ９２８）を更新する際に、受信装置９０２からの出力信号と更新された映像表示装置９０３への入力信号との形態の相違、コネクタの種類の相違、又は、信号の出力位置と入力位置との相違等に起因して、既に使用しているチューナ回路部９１１を含む受信装置９０２を、更新された映像表示装置９０３に接続することが困難である場合がある。
【０００７】
また、デジタルテレビジョン放送では、著作権保護等のために視聴制限を解除する構成が必要な場合があるが、上記受信システム９００等の従来の受信システムでは、視聴制限を解除するためのカードを受信装置９００に取り込む（カードを装着するカード装着部を形成する）ことが困難な場合がある。
【０００８】
上記の問題点に鑑み、本発明は、容易に更新することが可能な受信装置及び受信システムを提供することを目的としている。
【課題を解決するための手段】
【０００９】
上記目的を達成するために請求項１に記載の受信装置は、アンテナで受信した高周波信号を受信して映像、音声信号に変換する受信装置であって、アンテナから受信された高周波信号を中間周波数信号に変換するチューナ回路部と、前記チューナ回路部から出力される中間周波数信号を圧縮されたデジタル信号に変換するデジタル復調部と、前記デジタル復調部から出力される圧縮されたデジタル信号からデジタル映像・音声信号に変換するデジタル回路部と、前記デジタル回路部から出力されるデジタル映像・音声信号をアナログ映像・音声信号に変換する映像音声出力回路と、を備え、前記チューナ回路部、デジタル復調部、デジタル回路部及び映像音声出力回路が、１の基板上に配置され、アンテナで受信された高周波信号が前記チューナ回路部に入力される入力端子、及び、前記映像音声出力回路からアナログ映像・音声信号が出力される出力端子が、前記１の基板上の予め設定された位置に配置されることを特徴としている。
【００１０】
請求項２に記載の受信装置は、請求項１に記載の受信装置であって、アンテナから前記チューナ回路部に入力され、前記デジタル復調部及びデジタル回路部を介して、前記映像音声出力回路から出力されるまでの信号の流れを、前記１の基板上において略コの字形状又は逆コの字形状とするべく、前記チューナ回路部、デジタル復調部、デジタル回路部及び映像音声出力回路を前記１の基板上に配置することを特徴としている。
【００１１】
請求項３に記載の受信装置は、請求項２に記載の受信装置であって、前記１の基板が、略矩形の基板であって、前記チューナ回路部が、前記１の基板に含まれる１の辺に沿って配置され、前記チューナ回路部及びデジタル復調部が、前記１の辺に隣接する他の１の辺に沿って配置され、前記映像音声出力回路が、前記他の１の辺に隣接すると共に、前記１の辺と対向する辺に沿って配置されることを特徴としている。
【００１２】
請求項４に記載の受信装置は、請求項１に記載の受信装置であって、アンテナから前記チューナ回路部に入力され、前記デジタル復調部及びデジタル回路部を介して、前記映像音声出力回路から出力されるまでの信号の流れを、前記１の基板上において略Ｌの字又は逆Ｌの字形状とするべく、前記チューナ回路部、デジタル復調部、デジタル回路部及び映像音声出力回路を前記１の基板上に配置することを特徴としている。
【００１３】
請求項５に記載の受信装置は、請求項４に記載の受信装置であって、前記１の基板が、略矩形の基板であって、前記チューナ回路部が、前記１の基板に含まれる１の辺に沿って配置され、前記デジタル復調部、デジタル回路部及び映像音声出力回路が、前記１の辺に隣接する他の１の辺に沿って配置されることを特徴としている。
【００１４】
請求項６に記載の受信装置は、請求項５に記載の受信装置であって、前記チューナ回路部、デジタル復調部、デジタル回路部及び映像音声出力回路に電圧を印加する電源回路部を備え、前記電源回路部が、前記１の辺と対向する辺に沿って前記１の基板上に配置されることを特徴としている。
【００１５】
請求項７に記載の受信装置は、請求項６に記載の受信装置であって、著作権保護のための受信制限を解除するカードが着脱自在に構成されたカード装着部を備え、前記カード装着部が、前記チューナ回路部と前記電源回路部との間に配置されることを特徴としている。
【００１６】
請求項８に記載の受信装置は、請求項１〜請求項７のいずれかに記載の受信装置であって、前記映像音声出力回路が、前記１の基板において、前記デジタル回路部が配置された面に対して裏面側に配置されることを特徴としている。
【００１７】
請求項９に記載の受信装置は、請求項８に記載の受信装置であって、前記チューナ回路部及びデジタル復調部が、それぞれ、前記１の基板において、前記デジタル回路部が配置された面と同一の面側に配置されることを特徴としている。
【００１８】
請求項１０に記載の受信システムは、デジタル放送波を受信して、映像信号及び音声信号に変換し、表示及び出力する受信システムであって、請求項１〜請求項９のいずれかに記載の受信装置と、前記受信装置から出力される映像信号に基づいて映像を表示すると共に、音声信号に基づいて音声を出力する処理を行う映像表示装置と、を備えることを特徴としている。
【発明の効果】
【００１９】
請求項１に記載の受信装置によれば、チューナ回路部によって、アンテナから受信された高周波信号が中間周波数信号に変換され、デジタル復調部によって、チューナ回路部から出力される中間周波数信号が圧縮されたデジタル信号に変換され、デジタル回路部によって、デジタル復調部から出力される圧縮されたデジタル信号からデジタル映像・音声信号に変換され、映像音声出力回路によって、デジタル回路部から出力されるデジタル映像・音声信号がアナログ映像・音声信号に変換される。また、チューナ回路部、デジタル復調部、デジタル回路部及び映像音声出力回路が、１の基板上に配置され、アンテナで受信された高周波信号がチューナ回路部に入力される入力端子、及び、映像音声出力回路からアナログ映像・音声信号が出力される出力端子が、１の基板上の予め設定された位置に配置されるため、容易に更新することが可能となる。
【００２０】
すなわち、アンテナで受信された高周波信号がチューナ回路部に入力される入力端子、及び、映像音声出力回路からアナログ映像・音声信号が出力される出力端子が、１の基板上の予め設定された位置に配置されるため、入力信号から出力信号を生成するまでの途中の処理を更新する場合（＝チューナ回路部、デジタル復調部、デジタル回路部及び映像音声出力回路の少なくとも一部を更新する場合）に、映像音声出力回路の出力信号が同一であれば、チューナ回路部の入力端子及び映像音声出力回路の出力端子のコネクタを予め設定された種類のコネクタとしておくことによって、１の基板を交換することで、容易に更新することが可能となるのである。
【００２１】
つまり、更新前の基板におけるチューナ回路部の入力端子及び映像音声出力回路の出力端子の位置が、更新後の基板におけるチューナ回路部の入力端子及び映像音声出力回路の出力端子の位置と一致しているため、更新後のチューナ回路部の入力端子及び映像音声出力回路の出力端子を構成するコネクタを、それぞれ、更新前のチューナ回路部の入力端子及び映像音声出力回路の出力端子を構成するコネクタと同一種類のコネクタとすることによって、基板を交換することで、容易に更新することが可能となる。
【００２２】
請求項２に記載の受信装置によれば、アンテナからチューナ回路部に入力され、デジタル復調部及びデジタル回路部を介して、映像音声出力回路から出力されるまでの信号の流れを、１の基板上において略コの字形状又は逆コの字形状とするべく、チューナ回路部、デジタル復調部、デジタル回路部及び映像音声出力回路が１の基板上に配置されるため、信号のロスを抑制することができる（図２（ａ）参照）。
【００２３】
請求項３に記載の受信装置によれば、１の基板が矩形の基板であって、チューナ回路部が、１の基板に含まれる１の辺に沿って配置され、チューナ回路部及びデジタル復調部が、１の辺に隣接する他の１の辺に沿って配置され、映像音声出力回路が、前記他の１の辺に隣接すると共に、１の辺と対向する辺に沿って配置されるため、信号のロスを抑制することができる（図２（ａ）参照）。
【００２４】
請求項４に記載の受信装置によれば、アンテナからチューナ回路部に入力され、デジタル復調部及びデジタル回路部を介して、映像音声出力回路から出力されるまでの信号の流れを、１の基板上において略Ｌの字又は逆Ｌの字形状とするべく、チューナ回路部、デジタル復調部、デジタル回路部及び映像音声出力回路を１の基板上に配置されるため、信号のロスを抑制することができる（図２（ｂ）参照）。
【００２５】
請求項５に記載の受信装置によれば、１の基板が矩形の基板であって、チューナ回路部が、１の基板に含まれる１の辺に沿って配置され、デジタル復調部、デジタル回路部及び映像音声出力回路が、１の辺に隣接する他の１の辺に沿って配置されるため、信号のロスを抑制することができる（図２（ｂ）参照）。
【００２６】
請求項６に記載の受信装置によれば、電源回路部によって、チューナ回路部、デジタル復調部、デジタル回路部及び映像音声出力回路に電圧が印加され、電源回路部が、チューナ回路部が配設される１の辺と対向する辺に沿って１の基板上に配置されるため、電源回路部をチューナ回路部から離間した位置に配置することができる（図２（ｂ）参照）ので、電源回路部からチューナ回路部へのノイズの侵入を抑制することができる。
【００２７】
請求項７に記載の受信装置によれば、カード装着部において、著作権保護のための受信制限を解除するカードが着脱自在に構成され、カード装着部が、チューナ回路部と電源回路部との間に配置されるため、カード装着部を効率的に基板上に配置することができる（図４（ａ）参照）。
【００２８】
請求項８に記載の受信装置によれば、映像音声出力回路が、１の基板において、デジタル回路部が配置された面に対して裏面側に配置されるため、効率的に基板上に配置することができる（図４（ｂ）参照）。
【００２９】
すなわち、映像音声出力回路が、１の基板において、デジタル回路部が配置された面に対して裏面側に配置されるため、デジタル回路部に搭載され、圧縮されたデジタル信号から映像信号及び音声信号を抽出するＩＣ（ここでは、映像音声処理ＩＣ２２４：図４（ｂ）参照）がＢＧＡ（Ｂａｌｌ  Ｇｒｉｄ  Ａｒｒａｙ）である場合に、このＩＣと映像音声出力回路とを、１の基板に形成されたスルーホールを介して接続することができるので、デジタル回路部（ここでは、映像音声処理ＩＣ２２４）と映像音声出力回路との間の配線の距離を短くすることができる。
【００３０】
また、この場合には、映像音声出力回路の出力端子が１の基板の裏面側に配置されるため、映像音声出力回路からの出力信号を処理する回路（ここでは、表示処理部２３１、音声処理部２３２：図３参照）が搭載された基板を該１の基板の裏面側に該１の基板に貼り合わせるように配置することができる。
【００３１】
請求項９に記載の受信装置によれば、チューナ回路部及びデジタル復調部が、それぞれ、１の基板において、デジタル回路部が配置された面と同一の面側に配置されるため、更に効率的に基板上に配置することができる（図４（ｂ）参照）。
【００３２】
すなわち、チューナ回路部及びデジタル復調部が、それぞれ、１の基板において、デジタル回路部が配置された面と同一の面側に配置されるため、放熱対策を講じる必要のあるデバイス（ここでは、デジタル復調ＩＣ２２１、映像音声処理ＩＣ２２４：図４（ｂ）参照）が、基板上の同一の面に配置されるので、簡素な構成で放熱対策を施すことができる。また、映像音声出力回路からの出力信号を処理する回路（ここでは、表示処理部２３１、音声処理部２３２：図３参照）が搭載された基板を該１の基板の裏面側に該１の基板に貼り合わせるように配置する場合にも、基板間に熱がこもることを防止することができる。
【００３３】
更に、チューナ回路部及びデジタル復調部が、それぞれ、１の基板において、デジタル回路部が配置された面と同一の面側に配置されるため、高さの高いデバイス（ここでは、チューナ回路部２１１、デジタル復調ＩＣ２２１、映像音声処理ＩＣ２２４：図４（ｂ）参照）が１の基板の一方の面上に配置されるので、該１の基板と映像音声出力回路からの出力信号を処理する回路（ここでは、表示処理部２３１、音声処理部２３２：図３参照）が搭載された基板との距離を短くすることができ、更にコンパクトに受信システム（図３参照）を構成することができるのである。
【００３４】
請求項１０に記載の受信システムによれば、映像表示装置によって、請求項１〜請求項９のいずれかに記載の受信装置から出力される映像信号に基づいて映像を表示すると共に、音声信号に基づいて音声出力する処理が行われるため、容易に更新することが可能な受信システムを実現することができる。
【発明を実施するための最良の形態】
【００３５】
本発明の受信システムの構成について、図面を参照して説明する。図１は、本発明に係る受信システムの概略的構成の一例を示すブロック図である。図１に示す受信システム１００は、アンテナ１０１、本発明に係る受信装置１０２、及び、映像表示装置１０３を備えている。
【００３６】
アンテナ１０１は、デジタル方式のテレビジョン放送の放送波（＝高周波信号）を受信するものである。受信装置１０２は、アンテナ１０１で受信された信号に所定の処理を施して映像信号と音声信号を取得するものである。映像表示装置１０３は、受信装置１０２から与えられる映像信号に基づいて映像を表示すると共に、音声信号に基づいて音声を出力する処理を行うものである。なお、アンテナ１０１は同軸ケーブルを介して受信装置１０２のチューナ入力端子１１１Ａ（図２参照）に接続され、受信装置１０２のインターフェイス端子１１４Ａ（図２参照）は映像表示装置１０３に接続される。
【００３７】
受信装置１０２は、チューナ回路部１１１、デジタル復調部１１２、デジタル回路部１１３、映像音声出力回路１１４、及び、電源回路部１１５を備えている。チューナ回路部１１１は、アンテナ１０１で受信された高周波信号を中間周波数信号（以下、「ＩＦ信号」という）に変換するものである。デジタル復調部１１２は、チューナ回路部１１１から出力されるＩＦ信号を圧縮されたデジタル信号に変換するものである。デジタル回路部１１３は、デジタル復調部１１２から出力される圧縮されたデジタル信号をデジタル映像・音声信号に変換するものである。映像音声出力回路１１４は、デジタル回路部１１３から出力されるデジタル映像・音声信号をアナログの映像・音声信号に変換するものである。電源回路部１１５は、チューナ回路部１１１、デジタル復調部１１２、デジタル回路部１１３及び映像音声出力回路１１４に対して動作用の電圧を印加するものである。
【００３８】
なお、デジタル復調部１１２は、ＩＦ信号をデジタル変換する処理ＩＣ（Ｉｎｔｅｇｒａｔｅｄ  Ｃｉｒｃｕｉｔ）であるデジタル復調ＩＣ１２１を備えている。また、デジタル回路部１１３は、圧縮されたデジタル信号から映像信号及び音声信号を抽出する映像音声処理ＩＣ１２４と、圧縮されたデジタルの映像信号、音声信号及び復調したデジタルの映像信号、音声信号を保存する映像音声処理メモリ１２２と、受信装置１０２の制御コードを格納するプログラム用メモリ１２３とを備えている。
【００３９】
映像表示装置１０３は、受信装置１０２から与えられるアナログの映像信号に基づいて映像を表示する処理を行う表示処理部１３１と、アナログの音声信号に基づいて音声を出力する処理を行う音声処理部１３２と、表示処理部１３１及び音声処理部１３２に動作用の電圧を印加する電源回路部１３３と、を備えている。
【００４０】
図２は、図１に示す受信装置１０２の実装状態の一例を示す平面図である。図に示すように、チューナ回路部１１１、デジタル復調部１１２、デジタル回路部１１３及び映像音声出力回路１１４が、基板１１０（１の基板に相当する）上に配置され、図１に示すアンテナ１０１で受信された高周波信号がチューナ回路部１１１に入力されるチューナ入力端子１１１Ａ（入力端子に相当する）、及び、映像音声出力回路１１４からアナログ映像・音声信号が映像表示装置１０３に出力されるインターフェイス端子１１４Ａ（出力端子に相当する）が、基板１１０上の予め設定された位置に配置されている。
【００４１】
具体的には、基板１１０は、矩形形状のプリント配線基板であって、図２（ａ）に示す受信装置１０２では、チューナ入力端子１１１Ａ及びインターフェイス端子１１４Ａが、それぞれ、基板１１０の下辺に沿って左側端部及び右側端部に配置されており、図２（ｂ）に示す受信装置１０２では、チューナ入力端子１１１Ａが、基板１１０の下辺に沿って左側端部に配置され、インターフェイス端子１１４Ａが、基板１１０の右辺に沿って上側端部に配置されている。
【００４２】
このように、チューナ回路部１１１、デジタル復調部１１２、デジタル回路部１１３及び映像音声出力回路１１４が、基板１１０上に配置され、図１に示すアンテナ１０１で受信された高周波信号がチューナ回路部１１１に入力されるチューナ入力端子１１１Ａ、及び、映像音声出力回路１１４からアナログ映像・音声信号が出力されるインターフェイス端子１１４Ａが、基板１１０上の予め設定された位置に配置されるため、容易に更新することが可能となる。
【００４３】
すなわち、図１に示すアンテナ１０１で受信された高周波信号がチューナ回路部１１１に入力されるチューナ入力端子１１１Ａ、及び、映像音声出力回路１１４からアナログ映像・音声信号が出力されるインターフェイス端子１１４Ａが、基板１１０上の予め設定された位置に配置されるため、チューナ入力端子１１１Ａから出力信号を生成するまでの途中の処理を更新する場合（＝チューナ回路部１１１、デジタル復調部１１２、デジタル回路部１１３及び映像音声出力回路１１４の少なくとも一部を更新する場合）に、映像音声出力回路１１４の出力信号が同一であれば、チューナ回路部１１１のチューナ入力端子１１１Ａ及び映像音声出力回路１１４のインターフェイス端子１１４Ａのコネクタを予め設定された種類のコネクタとしておくことによって、基板１１０を交換することで、容易に更新することが可能となるのである。
【００４４】
つまり、更新前の基板１１０におけるチューナ回路部１１１のチューナ入力端子１１１Ａ及び映像音声出力回路１１４のインターフェイス端子１１４Ａの位置が、更新後の基板１１０におけるチューナ回路部１１１のチューナ入力端子１１１Ａ及び映像音声出力回路１１４のインターフェイス端子１１４Ａの位置と一致しているため、更新後のチューナ回路部１１１のチューナ入力端子１１１Ａ及び映像音声出力回路１１４のインターフェイス端子１１４Ａを構成するコネクタを、それぞれ、更新前のチューナ回路部１１１のチューナ入力端子１１１Ａ及び映像音声出力回路１１４のインターフェイス端子１１４Ａを構成するコネクタと同一種類のコネクタとすることによって、基板１１０を交換することで、容易に更新することが可能となる。
【００４５】
また、図２（ａ）に示す受信装置１０２では、図１に示すアンテナ１０１からチューナ回路部１１１に入力され、デジタル復調部１１２及びデジタル回路部１１３を介して、映像音声出力回路１１４から出力されるまでの信号の流れ（図の矢印）を、基板１１０上においてコの字形状とするべく、チューナ回路部１１１、デジタル復調部１１２、デジタル回路部１１３及び映像音声出力回路１１４が基板１１０上に配置されている。
【００４６】
具体的には、図２（ａ）に示す受信装置１０２では、チューナ回路部１１１が、基板１１０の左辺（１の辺に相当する）に沿って配置され、デジタル復調部１１２及びデジタル回路部１１３が、左辺に隣接する上辺（他の１の辺に相当する）に沿って配置され、映像音声出力回路１１４が、上辺に隣接すると共に、左辺と対向する右辺に沿って配置されている。
【００４７】
一方、図２（ｂ）に示す受信装置１０２では、図１に示すアンテナ１０１からチューナ回路部１１１に入力され、デジタル復調部１１２及びデジタル回路部１１３を介して、映像音声出力回路１１４から出力されるまでの信号の流れ（図の矢印）を、基板１１０上において逆Ｌの字形状とするべく、チューナ回路部１１１、デジタル復調部１１２、デジタル回路部１１３及び映像音声出力回路１１４が基板１１０上に配置されている。
【００４８】
具体的には、図２（ｂ）に示す受信装置１０２では、チューナ回路部１１１が、基板１１０の左辺（１の辺に相当する）に沿って配置され、デジタル復調部１１２、デジタル回路部１１３及び映像音声出力回路１１４が、左辺に隣接する上辺（他の１の辺に相当する）に沿って配置されている。
【００４９】
このようにして、信号の流れ（図の矢印）に対応して、チューナ回路部１１１、デジタル復調部１１２、デジタル回路部１１３及び映像音声出力回路１１４が、順次、基板１１０上に配置されているため、信号のロスを抑制することができる。
【００５０】
更に、図２（ｂ）に示す受信装置１０２では、電源回路部１１５が、チューナ回路部１１１が配置される左辺と対向する辺である右辺に沿って（映像音声出力回路１１４の下側に）、基板１１０上に配置されている。
【００５１】
このようにして、電源回路部１１５が、チューナ回路部１１１が配設される左辺と対向する辺である右辺に沿って基板１１０上に配置されるため、電源回路部１１５をチューナ回路部１１１から離間した位置に配置することができるので、電源回路部１１５からチューナ回路部１１１へのノイズの侵入を抑制することができる。
【００５２】
図３は、本発明に係る受信システムの概略的構成の他の一例を示すブロック図である。図３に示す受信システム２００は、図１に示す受信システム１００と同様に、アンテナ２０１、本発明に係る受信装置２０２、及び、映像表示装置２０３を備えている。ただし、受信装置２０２が、著作権保護のための受信制限を解除するカード（図示省略）が着脱自在に構成されたカード装着部２１６を備える点で、図１に示す受信システム１００と相違している。
【００５３】
また、カード装着部２１６は、受信装置２０２のデジタル復調部２１２及びデジタル回路部１１３に対して、装着されたカード（図示省略）に予め格納された情報（受信制限を解除するキー情報等）を出力し、デジタル復調部２１２（主にデジタル復調ＩＣ２２１）及びデジタル回路部２１３（主に映像音声処理ＩＣ２２４）は、カード装着部２１６に装着されたカードからの情報に基づいて、著作権保護のための受信制限を解除する処理を実行する点で図１に示す受信システム１００と相違している。その他の構成は、図１に示す受信システム１００と同様であるので、その説明を省略する。
【００５４】
図４は、図３に示す受信装置２０２の実装状態の一例を示す平面図である。図４（ａ）に示す受信装置２０２は、著作権保護のための受信制限を解除するカードが着脱自在に構成されたカード装着部２１６を備える点で図２（ｂ）に示す受信装置１０２と相違している。その他の構成は、図２（ｂ）に示す受信装置１０２と同様であるので、その説明を省略する。
【００５５】
図４（ａ）に示すように、カード装着部２１６は、チューナ回路部２１１と電源回路部２１５との間に配置されている。このように、カード装着部２１６が、チューナ回路部２１１と電源回路部２１５との間に配置されるため、カード装着部２１６を効率的に基板２１０上に配置することができる。
【００５６】
図４（ｂ）に示す受信装置２０２は、映像音声出力回路２１４が、基板２１０において、デジタル回路部２１３が配置された面に対して裏面側に配置される（図では、基板２１０の裏面側に配置されることを、破線で示している）点で図４（ａ）に示す受信装置２０２と相違している。その他の構成は、図４（ａ）に示す受信装置２０２と同様であるので、その説明を省略する。
【００５７】
このように、映像音声出力回路２１４が、基板２１０において、デジタル回路部２１３が配置された面に対して裏面側に配置されるため、デジタル回路部２１３に搭載され、圧縮されたデジタル信号から映像信号及び音声信号を抽出するＩＣ（＝映像音声処理ＩＣ２２４）がＢＧＡ（Ｂａｌｌ  Ｇｒｉｄ  Ａｒｒａｙ）である場合に、このＩＣと映像音声出力回路２１４とを、基板２１０に形成されたスルーホール（図示省略）を介して接続することができるので、デジタル回路部２１３（ここでは、映像音声処理ＩＣ２２４）と映像音声出力回路２１４との間の配線の距離を短くすることができる。
【００５８】
なお、図４（ｂ）では、便宜上、映像音声出力回路２１４を映像音声処理ＩＣ２２４の右側の裏面に配置する形態を示しているが、映像音声出力回路２１４を映像音声処理ＩＣ２２４に対応する位置（左右上下方向の位置が略同一の位置）の裏面側に配置する形態でも良い。
【００５９】
また、図４（ｂ）に示す受信装置２０２では、映像音声出力回路２１４のインターフェイス端子１１４Ａが基板２１０の裏面側に配置されるため、映像音声出力回路２１４からの出力信号を処理する回路（ここでは、表示処理部２３１、音声処理部２３２：図３参照）が搭載された基板を基板２１０の裏面側に基板２１０に貼り合わせるように配置することができる。
【００６０】
更に、図４（ｂ）に示す受信装置２０２では、チューナ回路部２１１及びデジタル復調部２１２は、それぞれ、基板２１０において、デジタル回路部２１３が配置された面と同一の面側（ここでは、表面側）に配置されている。
【００６１】
このように、チューナ回路部２１１及びデジタル復調部２１２が、それぞれ、基板２１０において、デジタル回路部２１３が配置された面と同一の面側（ここでは、表面側）に配置されるため、放熱対策を講じる必要のあるデバイス（ここでは、デジタル復調ＩＣ２２１、映像音声処理ＩＣ２２４）が、基板２１０上の同一の面（ここでは、表面）に配置されるので、簡素な構成で放熱対策を施すことができる。また、映像音声出力回路２１４からの出力信号を処理する回路（ここでは、表示処理部２３１、音声処理部２３２：図３参照）が搭載された基板を基板２１０の裏面側に基板２１０に貼り合わせるように配置する場合にも、基板間（基板２１０と、映像音声出力回路２１４からの出力信号を処理する回路（ここでは、表示処理部２３１、音声処理部２３２）が搭載された基板との間）に熱がこもることを防止することができる。
【００６２】
更に、チューナ回路部２１１及びデジタル復調部２１２が、それぞれ、基板２１０において、デジタル回路部２１３が配置された面と同一の面側（ここでは、表面側）に配置されるため、高さの高いデバイス（ここでは、チューナ回路部２１１、デジタル復調ＩＣ２２１、映像音声処理ＩＣ２２４）が基板２１０の一方の面（ここでは、表面）上に配置されるので、基板２１０と映像音声出力回路２１４からの出力信号を処理する回路（ここでは、表示処理部２３１、音声処理部２３２：図３参照）が搭載された基板との距離を短くすることができ、更にコンパクトに受信システム２００（図３参照）を構成することができるのである。
【００６３】
なお、本発明は、以下の形態にも適用可能である。
（Ａ）図２（ａ）に示す実施形態では、チューナ入力端子１１１Ａ及びインターフェイス端子１１４Ａが、それぞれ、基板１１０の下辺に沿って左側端部及び右側端部に配置され、図２（ｂ）に示す実施形態では、チューナ入力端子１１１Ａが、基板１１０の下辺に沿って左側端部に配置され、インターフェイス端子１１４Ａが、基板１１０の右辺に沿って上側端部に配置される場合について説明したが、チューナ入力端子１１１Ａ及びインターフェイス端子１１４Ａが、基板１１０上の予め設定された位置に配置されている形態であれば良い。例えば、チューナ入力端子１１１Ａ及びインターフェイス端子１１４Ａが、基板１１０の一辺（例えば、下辺）に沿って予め設定された所定の位置（例えば、左側端部）に配置されている形態でも良い。
【００６４】
（Ｂ）図２（ａ）に示す実施形態では、信号の流れを基板１１０上においてコの字形状とするべく、チューナ回路部１１１、デジタル復調部１１２、デジタル回路部１１３及び映像音声出力回路１１４が基板１１０上に配置され、図２（ｂ）に示す実施形態では、信号の流れを基板１１０上において逆Ｌの字形状とするべく、チューナ回路部１１１、デジタル復調部１１２、デジタル回路部１１３及び映像音声出力回路１１４が基板１１０上に配置されている場合について説明したが、信号の流れを基板１１０上において逆コの字形状又はＬの字形状とするべく、チューナ回路部１１１、デジタル復調部１１２、デジタル回路部１１３及び映像音声出力回路１１４が基板１１０上に配置される形態でも良い。
【００６５】
更に、信号の流れを基板１１０上において略直線状又は略ロの字状とするべく、チューナ回路部１１１、デジタル復調部１１２、デジタル回路部１１３及び映像音声出力回路１１４が基板１１０上に配置される形態でも良い。
【００６６】
（Ｃ）図２（ｂ）に示す実施形態では、チューナ回路部１１１、デジタル復調部１１２、デジタル回路部１１３、映像音声出力回路１１４及び電源回路部１１５が、基板１１０の一方の面（ここでは、表面）上に配置される場合について説明したが、チューナ回路部１１１が基板１１０の一方の面（例えば、表面）上に配置され、電源回路部１１５が基板１１０の他方の面（例えば、裏面）上に配置される形態でも良い。この場合には、電源回路部１１５からチューナ回路部１１１へのノイズの侵入を更に抑制することができる。
【００６７】
（Ｄ）図４（ｂ）に示す実施形態では、便宜上、映像音声出力回路２１４を映像音声処理ＩＣ２２４の右側の裏面に配置する形態を示しているが、映像音声出力回路２１４を映像音声処理ＩＣ２２４に対応する位置（左右上下方向の位置が略同一の位置）の裏面側に配置する形態でも良い。この場合には、デジタル回路部２１３（ここでは、映像音声処理ＩＣ２２４）と映像音声出力回路２１４との間の配線の距離を更に短くすることができ、且つ、基板２１０のサイズを小さくすることができる。
【産業上の利用可能性】
【００６８】
本発明の受信システムは、デジタルテレビジョン放送等を受信して受信映像を表示する受信システムに対して好適に利用され得る。
【図面の簡単な説明】
【００６９】
【図１】は、本発明に係る受信システムの概略的構成の一例を示すブロック図である。
【図２】は、図１に示す受信装置の実装状態の一例を示す平面図である。
【図３】は、本発明に係る受信システムの概略的構成の他の一例を示すブロック図である。
【図４】は、図３に示す受信装置の実装状態の一例を示す平面図である。
【図５】は、従来の受信システムの概略的構成の一例を示すブロック図である。
【符号の説明】
【００７０】
１００    受信システム
１０１    アンテナ
１０２    受信装置
１１０    基板（１の基板）
１１１    チューナ回路部
１１１Ａ    チューナ入力端子（入力端子）
１１２    デジタル復調部
１２１    デジタル復調ＩＣ
１１３    デジタル回路部
１２２    映像音声処理メモリ
１２３    プログラム用メモリ
１２４    映像音声処理ＩＣ
１１４    映像音声出力回路
１１４Ａ    インターフェイス端子（出力端子）
１１５    電源回路部
１０３    映像表示装置
１３１    表示処理部
１３２    音声処理部
１３３    電源回路部
２００    受信システム
２０１    アンテナ
２０２    受信装置
２１０    基板（１の基板）
２１１    チューナ回路部
２１１Ａ    チューナ入力端子（入力端子）
２１２    デジタル復調部
２２１    デジタル復調ＩＣ
２１３    デジタル回路部
２２２    映像音声処理メモリ
２２３    プログラム用メモリ
２２４    映像音声処理ＩＣ
２１４    映像音声出力回路
２１４Ａ    インターフェイス端子（出力端子）
２１５    電源回路部
２１６    カード装着部
２０３    映像表示装置
２３１    表示処理部
２３２    音声処理部
２３３    電源回路部
【図１】
2009152814.tif 000003
【図２】
2009152814.tif 000004
【図３】
2009152814.tif 000005
【図４】
2009152814.tif 000006
【図５】
2009152814.tif 000007